(57)【特許請求の範囲】
【請求項１】
携帯電話機がスケジュールに関連するスケジュール関連情報を受信すること、
前記スケジュール関連情報を発信した発信側の電話番号が前記携帯電話機のメモリ部に登録されていない場合には、前記携帯電話機が前記スケジュールの優先レベルを０に設定すること、
前記スケジュール関連情報を発信した発信側の電話番号が前記メモリ部に登録されていて、且つ、前記発信側のメールアドレスが前記メモリ部に登録されていない場合には、前記携帯電話機が前記優先レベルを１に設定すること、
前記スケジュール関連情報の中に日付があれば、前記携帯電話機が前記スケジュールを前記メモリ部に自動的に登録すること、
既に他のスケジュールが前記メモリ部に登録されている場合、前記他のスケジュールの優先レベルが０であり、前記スケジュールの優先レベルが１であれば、前記携帯電話機が前記スケジュールを前記メモリ部に自動的に登録すること
とを含む携帯電話機のスケジュール登録方法。
【請求項２】
携帯電話機がスケジュールに関連するスケジュール関連情報を受信すること、
前記スケジュール関連情報を発信した発信側の電話番号が前記携帯電話機のメモリ部に登録されていない場合には、前記携帯電話機が前記スケジュールの優先レベルを０に設定すること、
前記スケジュール関連情報を発信した発信側の電話番号が前記メモリ部に登録されていて、且つ、前記特定発信側のメールアドレスが前記メモリ部に登録されていて、且つ、前記スケジュール関連情報の中に優先表示がない場合には、前記携帯電話機が前記優先レベルを２に設定すること、
前記スケジュール関連情報の中に日付があれば、前記携帯電話機が前記スケジュールを前記メモリ部に自動的に登録すること、
既に他のスケジュールが前記メモリ部に登録されている場合、前記他のスケジュールの優先レベルが０であり、前記スケジュールの優先レベルが２であれば、前記携帯電話機が前記スケジュールを前記メモリ部に自動的に登録すること
とを含む携帯電話機のスケジュール登録方法。
【請求項３】
携帯電話機がスケジュールに関連するスケジュール関連情報を受信すること、
前記スケジュール関連情報を発信した発信側の電話番号がメモリ部に登録されていて、且つ、前記発信側のメールアドレスが前記メモリ部に登録されていない場合には、前記携帯電話機が前記優先レベルを１に設定すること、
前記発信側の電話番号が前記メモリ部に登録されていて、且つ、前記特定発信側のメールアドレスが前記メモリ部に登録されていて、且つ、前記スケジュール関連情報の中に優先表示がない場合には、前記携帯電話機が前記優先レベルを２に設定すること、
前記スケジュール関連情報の中に日付があれば、前記携帯電話機が前記スケジュールを前記メモリ部に自動的に登録すること、
既に他のスケジュールが前記メモリ部に登録されている場合、前記他のスケジュールの優先レベルが１であり、前記スケジュールの優先レベルが２であれば、前記携帯電話機が前記スケジュールを前記メモリ部に自動的に登録すること
とを含む携帯電話機のスケジュール登録方法。
【請求項４】
携帯電話機がスケジュールに関連するスケジュール関連情報を受信すること、
前記携帯電話機が前記スケジュール関連情報を発信した発信側の電話番号が前記携帯電話機のメモリ部に登録されていない場合には、前記スケジュールの優先レベルを０に設定すること、
前記スケジュール関連情報を発信した発信側の電話番号が前記メモリ部に登録されていて、且つ、前記発信側のメールアドレスが前記メモリ部に登録されていて、且つ、前記スケジュール関連情報の中に優先表示がある場合には、前記優先レベルを３に設定すること、
前記スケジュール関連情報の中に日付があれば、前記携帯電話機が前記スケジュールを前記メモリ部に自動的に登録すること、
既に他のスケジュールが前記メモリ部に登録されている場合、前記他のスケジュールの優先レベルが０であり、前記スケジュールの優先レベルが３であれば、前記携帯電話機が前記スケジュールを前記メモリ部に自動的に登録すること
とを含む携帯電話機のスケジュール登録方法。
【請求項５】
携帯電話機がスケジュールに関連するスケジュール関連情報を受信すること、
前記スケジュール関連情報を発信した発信側の電話番号がメモリ部に登録されていて、且つ、前記発信側のメールアドレスが前記メモリ部に登録されていない場合には、前記携帯電話機が前記優先レベルを１に設定すること、
前記発信側の電話番号が前記メモリ部に登録されていて、且つ、前記発信側のメールアドレスが前記メモリ部に登録されていて、且つ、前記スケジュール関連情報の中に優先表示がある場合には、前記携帯電話機が前記優先レベルは３に設定すること、
前記スケジュール関連情報の中に日付があれば、前記携帯電話機が前記スケジュールを前記メモリ部に自動的に登録すること、
既に他のスケジュールが前記メモリ部に登録されている場合、前記他のスケジュールの優先レベルが１であり、前記スケジュールの優先レベルが３であれば、前記携帯電話機が前記スケジュールを前記メモリ部に自動的に登録すること
とを含む  携帯電話機のスケジュール登録方法。
【請求項６】
携帯電話機がスケジュールに関連するスケジュール関連情報を受信すること、
前記スケジュール関連情報を発信した発信側の電話番号がメモリ部に登録されていて、且つ、前記特定発信側のメールアドレスが前記メモリ部に登録されていて、且つ、前記スケジュール関連情報の中に優先表示がない場合には、前記優先レベルを２に設定すること、
前記発信側の電話番号が前記メモリ部に登録されていて、且つ、前記発信側のメールアドレスが前記メモリ部に登録されていて、且つ、前記スケジュール関連情報の中に優先表示がある場合には、前記携帯電話機が前記優先レベルは３に設定すること、
前記スケジュール関連情報の中に日付があれば、前記携帯電話機が前記スケジュールを前記メモリ部に自動的に登録すること、
既に他のスケジュールが前記メモリ部に登録されている場合、前記他のスケジュールの優先レベルが２であり、前記スケジュールの優先レベルが３であれば、前記携帯電話機が前記スケジュールを前記メモリ部に自動的に登録すること
とを含む携帯電話機のスケジュール登録方法。
【請求項７】
請求項４乃至６のいずれか一項に記載の携帯電話機のスケジュール登録方法において、
前記他のスケジュールの優先レベルが３である場合、前記スケジュールの優先レベルが３であれば、前記携帯電話機が前記スケジュールを前記メモリ部に自動的に登録することを含む
携帯電話機のスケジュール登録方法。
【請求項８】
請求項１乃至７のいずれか一項に記載の携帯電話機のスケジュール登録方法において、
前記スケジュール関連情報は、前記日付に対応する会議である
携帯電話機のスケジュール登録方法。
【請求項９】
請求項１乃至８のいずれか一項に記載の携帯電話機のスケジュール登録方法において、
前記携帯電話機は、前記スケジュール関連情報に前記優先レベルが指定されている場合には、前記指定されている優先レベルを前記優先レベルとして設定することを含む
携帯電話機のスケジュール登録方法。
【発明の詳細な説明】
【０００１】
【発明の属する技術分野】
本発明は、携帯電話機のスケジュール登録方法に関し、特に、受信するスケジュール関連情報を有効に効率的に記録する携帯電話機のスケジュール登録方法に関する。
【０００２】
【従来の技術】
スケジュール機能が、携帯電話に与えられている。そのスケジュール機能には、次のような問題点がある。第１に、メール、ＰＵＳＨ情報で送られているスケジュールの内容を見てユーザが判断し携帯電話のキーの操作を行ってそれらを登録しなければならない問題点がある。第２に、携帯電話のキーの操作はキー入力回数が多く登録完了までに画面遷移も多く、スケジュールの登録に手間と時間がかかる問題点がある。キーの操作がより簡素であり、操作回数が少ないことが求められる。
【０００３】
【発明が解決しようとする課題】
本発明の課題は、キーの操作がより簡素である携帯電話機のスケジュール登録方法を提供することにある。
本発明の他の課題は、キーの操作がより簡素でありキーの操作回数がより少ない携帯電話機のスケジュール登録方法を提供することにある。
【０００４】
【課題を解決するための手段】
その課題を解決するための手段が、下記のように表現される。その表現中に現れる技術的事項には、括弧（）つきで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００５】
本発明による携帯電話機のスケジュール登録方法は、スケジュールに関連するスケジュール関連情報を受信すること（Ｓ２）、スケジュール関連情報の中に日付があれば、スケジュールを自動的に登録すること（Ｓ７）とから構成されている。受信する情報の中に、文字、記号などの言語表現とともに、”日付”があれば、ソフトはその情報はスケジュール関連情報であると判断することができ、その判断に基づいてそのスケジュールを自動登録する。携帯電話の所持者は、簡素な操作だけで、スケジュールの存在を確実に知ることができる。
【０００６】
スケジュール関連情報は、日付に対応する会議である。スケジュールが会議であることは、会議、案内、ＩＴＥＭ、議題のような会議表現言語の存在により判断され得る。言語の集合｛会議、案内、ＩＴＥＭ、議題｝の要素と日付との対、例えば、会議−日付のような対をソフトが見出して、そのスケジュールが会議であることを判定する。
【０００７】
スケジュールを自動的に登録することは、優先レベルの設定を含むことが重要である。同一時間帯に２つのスケジュールが重なる場合に、優先レベルが自動的に設定されることは、スケジュールの自動登録を更に有意義にする。優先順位が高い他のスケジュールが既に登録されている場合には、そのスケジュールを登録する必要はない。スケジュール関連情報を発信した発信側の電話番号が電話帳メモリに登録されていなければ、そのスケジュールは重要度が低いとみなされて、優先レベルは零に設定される。
【０００８】
スケジュール関連情報を発信した発信側を特定する特定情報が電話メモリに登録されていなければ、優先レベルは零に設定され、その特定情報が電話メモリに登録されていれば、優先レベルは零より高いレベルに設定される。より具体的には、スケジュール関連情報を発信した発信側の電話番号が電話帳メモリに登録されていて、且つ、発信側のメールアドレスが電話帳メモリに登録されていない場合には、優先レベルは１に設定され（Ｓ９）、スケジュール関連情報を発信した発信側の電話番号が電話帳メモリに登録されていて、且つ、発信側の電話メールアドレスが電話帳メモリに登録されていて、且つ、スケジュール関連情報の中に優先表示がない場合には、優先レベルは２に設定される（Ｓ１１）。スケジュール関連情報を発信した発信側の電話番号が電話帳メモリに登録されていて、且つ、発信側の電話メールアドレスが電話帳メモリに登録されていて、且つ、スケジュール関連情報の中に優先表示がある場合には、その優先レベルは３に設定される（Ｓ１２）。
【０００９】
発信者側から、優先レベルを指定することは重要である。スケジュール関連情報に指定されている指定優先レベルがある場合には、指定優先レベルが設定される（Ｓ５’，Ｓ７’，Ｓ８’）。指定優先レベルは０ではない。スケジュール関連情報に指定されている指定優先レベルがない場合には、優先レベルは０に設定される（Ｓ６’）。
【００１０】
本発明によれば、ブラウザ機能を有しインターネットに接続可能である携帯電話機のスケジュール機能を有し、従来はメールやＰＵＳＨ情報で送られているスケジュール内容をユーザが判断して携帯電話のキー操作を行い登録していたが、メール内容に打ち合わせ時間、又は、ＰＵＳＨ情報を送付可能とし、登録したサイトから会議案内等の予定スケジュールを受信した場合、スケジュール登録確定文字があり、ユーザーが携帯電話機に登録する電話番号、メールアドレス、又は、サイトのＵＲＬと受信したメール又は情報配信先の電話番号、又は、メールアドレス、又は、サイトのＵＲＬが一致した場合、受信したスケジュールを携帯電話のスケジュール機能に自動で登録できてスケジュール登録が安易になり、その管理が容易である。
【００１１】
【発明の実施の形態】
図に一致対応して、本発明による携帯電話機のスケジュール登録方法を実現する携帯電話機の実施の形態は、図１に示されるように、アンテナ１を経由して無線データを送受信する無線機部２が設けられている。無線機部２は、無線機制御部３により制御される。キー入力を行う操作部４は、ハード／ソフト制御部５を介して無線機制御部３に接続している。制御部６は、装置全体を制御する。制御部６は、ハード／ソフト制御部５を介してハードウエアとソフトウエアを制御する。メモリ部７は、装置の機能を実行するためのアプリケーションソフトを保存している。メモリ部７は、電話の相手先の名前、電話番号、メールアドレス及びＵＲＬを登録する電話帳メモリ部８を備えている。ブラウザアプリケーション制御部９は、表示部１１に表示するためのブラウザアプリケーションをコントロールする。電源部１２は、ハード／ソフト制御部５を介して全部に電力を供給する。
【００１２】
図２は、本発明による携帯電話機の実施の形態を示している。操作部４から電源投入を行う。電源投入後、待ち受け状態になる（ステップＳ１）。電子メール又はＰＵＳＨ情報（以下、スケジュール関連情報といわれる）を受信すると（ステップＳ２）、スケジュール関連情報の中にスケジュール登録確定文字があるかどうかが判断される（ステップＳ３）。スケジュール登録確定文字は、図３に示されるように、会議、案内、日付、ＤＡＴＥ（又はそれの小文字）、議題、ＩＴＥＭ（又はその小文字）のような会議、召集を促す文字である。”＊＊＊＊”は、会議、案内、議題の名称を示している。このようなスケジュール登録確定文字がなければ、そのスケジュールを自動登録しないで（ステップＳ４）、待ち受けに戻る（ステップＳ１）。
【００１３】
そのようなスケジュール登録確定文字があれば、スケジュール関連情報の発信側の電話番号が電話帳メモリ部８に登録されているかどうかが判断され（ステップＳ５）、それが登録されてなければ、スケジュール登録優先レベルが０に設定され（ステップＳ６）、図４のスケジュール優先順位表に示されるように、優先度は４であり、そのスケジュールはメモリ部７に自動登録される（ステップＳ７）。
【００１４】
その電話番号が登録されていれば（ステップＳ５）、スケジュール関連情報のＵＲＬが電話帳メモリ部８に登録されているかどうかが判断され（ステップＳ８）、それが登録されてなければ、図４に示されるように、スケジュール登録優先レベルは１に設定され（ステップＳ９）、そのスケジュールはメモリ部７に自動登録される（ステップＳ１２）。但し、この場合、そのスケジュールが優先レベル０で既に登録されている場合には自動登録されるが、そのスケジュールが優先レベル１以上で既に登録されている場合には、自動登録されない。スケジュール関連情報の中に図３に示される優先表示がないと判断された場合は（ステップＳ１０）、スケジュール登録優先レベルは２に設定され（ステップＳ１１）、そのスケジュールは自動登録される（ステップＳ７）。但し、この場合、そのスケジュールが優先レベル１以下で既に登録されている場合には自動登録されるが、そのスケジュールが優先レベル２以上で既に登録されている場合には、自動登録されない。
【００１５】
スケジュール関連情報のＵＲＬに優先表示があると判断された場合には、スケジュール登録優先レベルは３に設定され（ステップＳ１２）、そのスケジュールは自動登録される（ステップＳ７）。但し、この場合、そのスケジュールが優先レベル３で既に登録されていても重複して自動登録され、待ち受けに戻る（ステップＳ１）。
【００１６】
図５は、本発明による携帯電話機のスケジュール登録方法の実施の他の形態を示している。スケジュール自動登録携帯電話の操作部４から電源投入を行う。電源投入後、待ち受け状態になる（ステップＳ１’）。スケジュール関連情報を受信すると（ステップＳ２’）、そのスケジュール関連情報の中に、スケジュール登録確定文字があるかどうかが判断され（ステップＳ３’）、スケジュール登録確定文字がなければ、スケジュール自動登録はせずに（ステップＳ）、待ち受けに戻る（ステップＳ１’）。
【００１７】
スケジュール関連情報の中にスケジュール登録確定文字があれば（ステップＳ３’）、スケジュール優先レベルの指定があるかないかが判断され（ステップＳ４’）、その指定がなければ、優先順位は０に設定され（ステップＳ６’）、そのスケジュールは自動登録される（ステップＳ７’）。それにスケジュールの優先順位がある場合は、既にスケジュール登録優先レベルとして設定されている１か２か３かに基づいて、スケジュール登録優先レベルは１、２、又は、３に設定され（ステップＳ５’，Ｓ７’，Ｓ８’）、そのスケジュールは自動登録され（ステップＳＳ７’）、登録後待ち受けに戻る（ステップＳ１’）。
【００１８】
【発明の効果】
本発明による携帯電話機のスケジュール登録方法は、自分が登録したいスケジュールをメールに入力し自分のスケジュール自動登録携帯電話に送信し受信したメールでスケジュールを自動登録でき、スケジュール登録が安易にできる。
【図面の簡単な説明】
【図１】図１は、本発明によるスケジュール登録方法を実現する携帯電話機の実施の形態を示す回路ブロック図である。
【図２】図２は、本発明による携帯電話機のスケジュール登録方法の実施の形態を示す動作フロー図である。
【図３】図３は、スケジュールの内容を示す表である。
【図４】図４は、スケジュールの優先度を示すテーブルである。
【図５】図５は、本発明による携帯電話機のスケジュール登録方法の実施の他の形態を示す動作フロー図である。
【符号の説明】
Ｓ２、Ｓ７、Ｓ９、Ｓ１１、Ｓ１２…ステップ
Ｓ５’，Ｓ６’、Ｓ７’，Ｓ８’…ステップ
８…電話帳メモリ
【図１】
0003655810.tif 000002
【図２】
0003655810.tif 000003
【図３】
0003655810.tif 000004
【図４】
0003655810.tif 000005
【図５】
0003655810.tif 000006